(57)【要約】【課題】製造歩留まりを改善して小型で扱い易く実用性に優れる水準器を効率よく製造する。【解決手段】気泡管から成る気泡管測定部１を異なる傾斜角度に傾斜させる気泡管取付ベース３を予め定めた配列及び配向で束ね並設し、この束ね並設した気泡管取付ベース３を、予め定めた配向及び配向で束ね並設した気泡管取付ベース３を収容できる形状に設定したケース５に挿入するように構成し、気泡管取付ベース３に互いに当接する当接部６を設け、この互いに当接する当接部６の夫々に互いに凹凸係合する凹凸係合部７を設け、この凹凸係合部７を、予め定めた配列及び配向では隣接する気泡管取付ベース３と凹凸係合して束ね並設できてケース５に収容でき、予め定めた配列及び配向でなければ、隣接する気泡管取付ベース３を凹凸係合できず、若しくは凹凸係合してもケース５に収容できないように構成した。【選択図】図１
2011112624.tif 000002
【特許請求の範囲】
【請求項１】
液体及び気泡を封入した気泡管から成る気泡管測定部を異なる傾斜角度に傾斜させて複数配設し、この気泡管測定部により被測定物の傾斜角度を確認し得る水準器において、前記気泡管測定部を設ける気泡管取付ベースを予め定めた配列及び配向で、一個の気泡管取付ベースに二個の気泡管取付ベースが隣接するように束ね並設し、この予め定めた配列及び配向で束ね並設した前記気泡管取付ベースを、この気泡管取付ベースに設けた前記気泡管測定部を夫々視認し得る視認窓部を設けたケースに挿入固定するように構成し、前記ケースの形状を予め定めた配列及び配向で束ね並設した前記気泡管取付ベースを前記ケースに収容できる形状に設定し、前記気泡管取付ベースに二個の隣接する前記気泡管取付ベースと夫々当接する当接部を設け、この互いに当接する一方の当接部に係合凹部を設け、他方の当接部に係合凸部を設けて隣接する前記気泡管取付ベースの前記当接部同士が前記係合凹部及び前記係合凸部で互いに凹凸係合する凹凸係合部を設け、この凹凸係合部を、予め定めた配列及び配向では隣接する前記気泡管取付ベースと凹凸係合して束ね並設できて前記ケースに収容でき、予め定めた配列及び配向でなければ、隣接する前記気泡管取付ベースを凹凸係合できず、若しくは凹凸係合しても前記ケースに収容できないように構成したことを特徴とする水準器。
【請求項２】
前記前記気泡管取付ベースを棒状とし、この棒状の前記気泡管取付ベースの側面の二個所に前記気泡管取付ベースの長手方向に延設する前記当接部を夫々設けて、該当接部に予め定めた配列及び配向で隣接する前記気泡管取付ベースの前記当接部を互いに当接し、この当接部に設けた前記凹凸係合部を凹凸係合することで予め定めた配列及び配向で複数の前記気泡管取付ベースを束ね並設し得るように構成したことを特徴とする請求項１記載の水準器。
【請求項３】
前記当接部の夫々に設けた前記凹凸係合部を、予め定めた配列及び配向で前記気泡管取付ベースを束ね並設した際に隣接する前記気泡管取付ベース同士が互いに当接する一方の前記気泡管取付ベースの前記当接部に前記係合凹部を二個所設け、他方の前記気泡管取付ベースの前記当接部に前記一方の当接部と凹凸係合する前記係合凸部を同数設けた構成としたことを特徴とする請求項１，２のいずれか１項に記載の水準器。
【請求項４】
前記凹凸係合部に設けた前記係合凸部及び前記係合凹部を、予め定めた配列及び配向に束ね並設し隣接する前記気泡管取付ベースの組み合せ毎に異なる位置若しくは間隔に設定して、複数の前記気泡管取付ベースを予め定めた配列及び配向で束ね並設し得るように構成したことを特徴とする請求項３記載の水準器。
【請求項５】
液体及び気泡を封入した気泡管から成る気泡管測定部を複数備え異なる傾斜角度に傾斜配設させて前記気泡管測定部を視認して被測定物の傾斜角度を確認し得る水準器において、前記気泡管測定部を設ける気泡管取付ベースを予め定めた配列及び配向で固定する係合固定体を設け、この係合固定体を中心として複数の前記気泡管取付ベースを予め定めた配列及び配向で束ね並設し、この予め定めた配列及び配向で束ね並設した前記気泡管取付ベースを、前記気泡管取付ベースに設けた前記気泡管測定部を夫々視認し得る視認窓部を設けたケースに挿入固定するように構成し、前記係合固定体と、該係合固定体の周囲に配設される夫々の前記気泡管取付ベースとに、互いに当接する当接部を夫々設け、この当接部に係合凹部若しくは係合凸部を設けて、前記係合固定体と前記気泡管取付ベースとを互いに凹凸係合する凹凸係合部を設け、この凹凸係合部を、予め定めた配列若しくは配向では前記係止固定部と複数の前記気泡管取付ベースとが凹凸係合し、束ね並設できて前記ケースに収容でき、予め定めた配列及び配向で配設されなければ前記係止固定部と前記気泡管取付ベースとを凹凸係合できず、若しくは凹凸係合しても前記ケースに収容できないように構成したことを特徴とする水準器。
【請求項６】
前記気泡管取付ベースを長手方向に二分割し互いに凹凸嵌合し得る一対の分割半体で構成し、前記一対の分割半体の少なくとも一方に前記気泡管測定部を前記気泡管取付ベースの長手方向に対して夫々異なる前記傾斜角度に傾斜させて収容し得る気泡管収容部を設けたことを特徴とする請求項１〜５のいずれか１項に記載の水準器。
【請求項７】
前記一対の前記分割半体の夫々に互いに嵌合し合う嵌合凹部若しくは嵌合凸部を前記一対となる前記分割半体毎に異なる位置若しくは形状に設けて、前記一対となる前記分割半体の夫々と他の前記分割半体とは嵌合し得ないように構成したことを特徴とする請求項６記載の水準器。
【発明の詳細な説明】
【技術分野】
【０００１】
本発明は、水準器に関するものである。
【背景技術】
【０００２】
液体及び気泡を封入した気泡管から成る気泡管測定部を複数備え、管路などの被測定物に添設して、この被測定物の傾斜角度を視認測定する水準器がある。この水準器は、水準器本体に夫々一定の所定の傾斜角度だけ傾斜した状態の気泡管測定部を水準器の長手方向の一列に多数並べて、被測定物の傾斜角度を視認できるように構成したものである。
【０００３】
この水準器は、複数の気泡管測定部を所要の傾斜角度に傾斜させた１個の気泡管取付ベースを、気泡管を視認する窓孔を有する方形状のケースに取り付けるだけで製造することが可能であり、また、このケースに夫々の気泡管測定部に対応する傾斜度を表示することで、この水準器を被測定物の被測定面に当接して気泡管測定部の気泡が中央位置となる気泡管測定部を視認し、対応する気泡管測定部の傾斜度の表示値を読み取りするだけで傾斜度の測定を極めて簡単に行うことができるため、手軽に利用できるものである。
【０００４】
また一方、この従来の水準器は、傾斜角度の異なる気泡管収容部を数種類直線状に設けるため長尺化となり、取り扱い難い場合がある。
【０００５】
これに対して、気泡管測定部を異なった傾斜角度に傾斜させた気泡管取付ベースを複数種類束ねて、例えば三角形状の束ね状とすることで短尺化して小型化を図り、この三角柱を適宜回動してこの三角柱の三側面を順次変えて被測定面に当接することで、気泡が中央位置となる気泡管測定部の傾斜度の表示を読み取って被測定面の傾斜度を視認測定する水準器がある。
【発明の概要】
【発明が解決しようとする課題】
【０００６】
この短尺化させて回動式の水準器は、気泡管測定部の傾斜角度の傾斜度が予め定めた順序になるように複数種類の気泡管取付ベースを順に並べてケースに収容することで、製造を容易とすることができるが、この際、この複数種類の気泡管取付ベースをこの種類毎に選別し予め定めた順で配列しなければならないが、予め定めた順序配列及び配向に配置していないにも関わらず組み立てが可能な構造であったため、製造中にしばしば組み立てミスを生ずることで製造歩留まりが低くなりやすく、従って、複数種類の気泡管取付ベースを予め定めた順序配列及び配向に配置して正しく組み立てる作業は極めて煩わしい作業管理手順を要し、製造効率が低いという問題があった。
【０００７】
本発明は、多数の気泡管測定部を、予め定めた配置及び配向に確実に配置し得て、製造歩留まりを改善して製造が容易に行え、小型で扱い易く、実用性に優れる水準器を効率よく製造することを目的とする。
【課題を解決するための手段】
【０００８】
添付図面を参照して本発明の要旨を説明する。
【０００９】
液体及び気泡を封入した気泡管から成る気泡管測定部１を異なる傾斜角度に傾斜させて複数配設し、この気泡管測定部１により被測定物２の傾斜角度を確認し得る水準器において、前記気泡管測定部１を設ける気泡管取付ベース３を予め定めた配列及び配向で、一個の気泡管取付ベース３に二個の気泡管取付ベース３が隣接するように束ね並設し、この予め定めた配列及び配向で束ね並設した前記気泡管取付ベース３を、この気泡管取付ベース３に設けた前記気泡管測定部１を夫々視認し得る視認窓部４を設けたケース５に挿入固定するように構成し、前記ケース５の形状を予め定めた配列及び配向で束ね並設した前記気泡管取付ベース３を前記ケース５に収容できる形状に設定し、前記気泡管取付ベース３に二個の隣接する前記気泡管取付ベース３と夫々当接する当接部６を設け、この互いに当接する一方の当接部６に係合凹部14を設け、他方の当接部６に係合凸部15を設けて隣接する前記気泡管取付ベース３の前記当接部６同士が前記係合凹部14及び前記係合凸部15で互いに凹凸係合する凹凸係合部７を設け、この凹凸係合部７を、予め定めた配列及び配向では隣接する前記気泡管取付ベース３と凹凸係合して束ね並設できて前記ケース５に収容でき、予め定めた配列及び配向でなければ、隣接する前記気泡管取付ベース３を凹凸係合できず、若しくは凹凸係合しても前記ケース５に収容できないように構成したことを特徴とする水準器に係るものである。
【００１０】
また、前記前記気泡管取付ベース３を棒状とし、この棒状の前記気泡管取付ベース３の側面の二個所に前記気泡管取付ベース３の長手方向に延設する前記当接部６を夫々設けて、該当接部６に予め定めた配列及び配向で隣接する前記気泡管取付ベース３の前記当接部６を互いに当接し、この当接部６に設けた前記凹凸係合部７を凹凸係合することで予め定めた配列及び配向で複数の前記気泡管取付ベース３を束ね並設し得るように構成したことを特徴とする請求項１記載の水準器に係るものである。
【００１１】
また、前記当接部６の夫々に設けた前記凹凸係合部７を、予め定めた配列及び配向で前記気泡管取付ベース３を束ね並設した際に隣接する前記気泡管取付ベース３同士が互いに当接する一方の前記気泡管取付ベース３の前記当接部６に前記係合凹部14を二個所設け、他方の前記気泡管取付ベース３の前記当接部６に前記一方の当接部６と凹凸係合する前記係合凸部15を同数設けた構成としたことを特徴とする請求項１，２のいずれか１項に記載の水準器に係るものである。
【００１２】
また、前記凹凸係合部７に設けた前記係合凹部14及び前記係合凸部15を、予め定めた配列及び配向に束ね並設し隣接する前記気泡管取付ベース３の組み合せ毎に異なる位置若しくは間隔に設定して、複数の前記気泡管取付ベース３を予め定めた配列及び配向で束ね並設し得るように構成したことを特徴とする請求項３記載の水準器に係るものである。
【００１３】
また、液体及び気泡を封入した気泡管から成る気泡管測定部１を複数備え異なる傾斜角度に傾斜配設させて前記気泡管測定部１を視認して被測定物２の傾斜角度を確認し得る水準器において、前記気泡管測定部１を設ける気泡管取付ベース３を予め定めた配列及び配向で固定する係合固定体８を設け、この係合固定体８を中心として複数の前記気泡管取付ベース３を予め定めた配列及び配向で束ね並設し、この予め定めた配列及び配向で束ね並設した前記気泡管取付ベース３を、前記気泡管取付ベース３に設けた前記気泡管測定部１を夫々視認し得る視認窓部４を設けたケース５に挿入固定するように構成し、前記係合固定体８と、該係合固定体８の周囲に配設される夫々の前記気泡管取付ベース３とに、互いに当接する当接部６を夫々設け、この当接部６に係合凹部14若しくは係合凸部15を設けて、前記係合固定体８と前記気泡管取付ベース３とを互いに凹凸係合する凹凸係合部７を設け、この凹凸係合部７を、予め定めた配列若しくは配向では前記係止固定部８と複数の前記気泡管取付ベース３とが凹凸係合し、束ね並設できて前記ケース５に収容でき、予め定めた配列及び配向で配設されなければ前記係止固定部８と前記気泡管取付ベース３とを凹凸係合できず、若しくは凹凸係合しても前記ケース５に収容できないように構成したことを特徴とする水準器に係るものである。
【００１４】
また、前記気泡管取付ベース３を長手方向に二分割し互いに凹凸嵌合し得る一対の分割半体９ａ・９ｂで構成し、前記一対の分割半体９ａ・９ｂの少なくとも一方に前記気泡管測定部１を前記気泡管取付ベース３の長手方向に対して夫々異なる前記傾斜角度に傾斜させて収容し得る気泡管収容部10を設けたことを特徴とする請求項１〜５のいずれか１項に記載の水準器に係るものである。
【００１５】
また、前記一対の前記分割半体９ａ・９ｂの夫々に互いに嵌合し合う嵌合凹部12若しくは嵌合凸部13を前記一対となる前記分割半体９ａ・９ｂ毎に異なる位置若しくは形状に設けて、前記一対となる前記分割半体９ａ・９ｂの夫々と他の前記分割半体９ａ・９ｂとは嵌合し得ないように構成したことを特徴とする請求項６記載の水準器に係るものである。
【発明の効果】
【００１６】
本発明は上述のように構成したから、複数の気泡管を夫々異なった傾斜角度に設けた気泡管測定部の夫々の当接部を凹凸係合するだけの簡単な作業で予め定めた配列及び配向に束ね並設してケースに収容でき、予め定めた配列及び配向でなければ組み込み異常を直ちに判別でき、或いはケースに収容できないことで異常を判別できることになるから、製造歩留まりが向上して、効率のよい簡易な製造が可能となり、従って安価に製造できることになると共に、多数の気泡管を備えながら小型で扱い易い実用性、作業性に秀れる水準器になる。
【００１７】
また、請求項２〜４の発明においては、予め定めた配列及び配向で速やかに束ね並設して組み込みを効率よく行えると共に、組み込み異常を速やか検出することが可能となって製造効率及び製造品質の改善を図れることになる。
【００１８】
また、請求項６記載の発明においては、気泡管測定部を気泡管取付ベースに収容するだけで気泡管測定部を異なる傾斜角度に傾斜できることになるため、組み立て製造が容易になる。
【００１９】
また、請求項７記載の発明においては、一対の気泡管取付ベース以外の組み合わせでは、分割半体の組み込み異常を確実に検出でき、製造効率及び製造品質を更に一層高めた水準器になる。
【図面の簡単な説明】
【００２０】
【図１】実施例１に係る水準器の斜視図である。
【図２】実施例１に係る水準器の分解斜視図である。
【図３】実施例１に係る水準器の気泡管取付ベースの斜視図である。
【図４】実施例１に係る水準器の気泡管取付ベースの分解斜視図である。
【図５】実施例１に係る水準器の各気泡管取付ベースの係合部を示す側面図である。
【図６】実施例１に係る水準器の気泡管取付ベースを分離した状態の側面図である。
【図７】実施例１に係る水準器の気泡管取付ベースを束ね並設した状態の側面図である。
【図８】実施例１に係る水準器の気泡管取付ベースの気泡管収容部の断面図である。
【図９】実施例１に係る水準器の気泡管取付ベースの嵌合部の断面図である。
【図１０】実施例１に係る水準器の分割半体の嵌合部を示す分解図である。
【図１１】実施例２に係る水準器の気泡管取付ベースの斜視図である。
【図１２】実施例２に係る水準器の各気泡管取付ベースを分離した状態の側面図である。
【図１３】実施例２に係る水準器の各気泡管取付ベースを束ね並設した状態の側面図である。
【発明を実施するための形態】
【００２１】
好適と考える本発明の実施形態を、図面に基づいて本発明の作用を示して簡単に説明する。
【００２２】
例えば、気泡管測定部１を設けた気泡管取付ベース３に、気泡管測定部１を設けた予め定めた配列の気泡管取付ベース３を隣接し、この隣接する二個の前記気泡管取付ベース３の夫々の当接部６同士が予め定めた配列及び配向となるように当接すると、この当接部６の夫々に設けた凹凸係合部７の係合凹部14と係合凸部15とが凹凸係合することになり、例えば、環状若しくは柱状に束ね並設できることになって、気泡管取付ベース３に設けた気泡管測定部１を夫々異なった角度で傾斜配設できることになり、このように束ね並設した前記気泡管取付ベース３を、前記気泡管測定部１を視認し得る視認窓孔４を設けたケース５に挿入固定すると、多数の気泡管測定部１を備えながら小型で扱い易いものになる。また、予め定めた配列及び配向でない、例えば、配列の順序を違えたり、前記気泡管取付ベース３を逆向きにすると、前記気泡管取付ベース３の当接部６に設けた凹凸係合部７が凹凸係合せず、複数の前記気泡管取付ベース３がずれることなどによりケース５に挿入できないことになり、前記気泡管取付ベース３を予め定めた配列及び配向でない状態に組み合わせて束ね並設したものを容易に判別、除去して組み直しを行うことが可能となる。
【００２３】
従って、多数の気泡管測定部１を収容した気泡管取付ベース３を予め定めた配列及び配向にして組み込み作業することが可能になると共に、製造不具合を可及的に低減でき、製造歩留まりが高まって効率よく製造が可能となって安価な製造が可能になり、また、多数の気泡管を備えながら小型で扱い易い実用性、作業性に秀れる水準器になる。
【００２４】
また、例えば、予め定めた配列及び配向の前記気泡管取付ベース３同士を、互いの当接部６が夫々の前記気泡管取付ベース３の長手方向に予め定めた配列及び配向で隣接させ、前記気泡管取付ベース３の当接部６同士を互いに当接し、夫々の前記気泡管取付ベース３の当接部６に設けた二個所の係合凹部14及び係合凸部15を互いに係合すると、前記気泡管取付ベース３の側面の二個所に設けた当接部６の夫々に互いに予め定めた配列及び配向で他の前記気泡管取付ベース３の当接部６が当接し合って予め定めた配列及び配向で複数の前記気泡管取付ベース３を容易に束ね並設できることになる。一方、例えば、予め定めた配列及び配向ではない前記気泡管取付ベース３を組み合わせて夫々の当接部６を当接させようとしても互いに係合できずに位置ずれを生じたり、ケースに入らないことで予め定めた配列及び配向でない前記気泡管取付ベース３の組み合わせを除外できるから、予め定めた配列及び配向となる組み合わせでないことが直ちに判別でき、ケースに組み込む前に予め定めた配列及び配向でない組み合わせの異常を速やか検出することが可能となり、従って、製造効率や製造品質の向上を図れることになる。
【００２５】
また、前記気泡管取付ベース３を該気泡管取付ベース３の長手方向に二分割した分割半体９ａ・９ｂの少なくとも一方に設けた気泡管収容部10に気泡管測定部１を収容して、この一方の分割半体９ａ・９ｂと他方の分割半体９ａ・９ｂとを互いに凹凸嵌合すると、前記気泡管取付ベース３の夫々に異なる傾斜角度で気泡管測定部１を収容できることになり、また、この状態で複数の気泡管取付ベース３を束ね並設し、例えば、作業者が手の指で押圧して束ねると、この気泡管取付ベース３を構成する分割半体９ａ・９ｂ同士を互いに押圧して係止して束ね状態を保持できることになり、従ってこのようにして束ね並設した気泡管取付ベース３をケース５に挿入することで、束ね並設した気泡管取付ベース３をケース５に収容する組み立て作業を容易に行えることになる。
【００２６】
また、分割半体９ａ・９ｂ同士を互いに凹凸嵌合する際、互いに凹凸係合し合う一対の分割半体９ａ・９ｂ同士は特定の位置及び形状で互いに凹凸係合する嵌合凹部12及び嵌合凸部13でのみ嵌合し、一対とならない他の分割半体９ａ・９ｂの嵌合凹部12若しくは嵌合凸部13とは位置若しくは形状が異なって互いに凹凸嵌合できないことになり、従って、複数の気泡管取付ベース３を束ね並設する前に、分割半体９ａ・９ｂを組み合わせて気泡管取付ベース３とする際の組み込み異常を確実に検出可能になり、作業上の誤りを可及的に低減して組み込み作業を確実に行うことが可能となり、一層確実に製造効率を高め、更に製造品質を高めた水準器になる。
【実施例１】
【００２７】
本発明の具体的な実施例１について図１〜図１０に基づいて説明する。
【００２８】
実施例１は、配管工事で管路などの被測定物２の勾配や傾斜の角度を視認測定するのに用いる水準器20である。
【００２９】
この水準器20は、液体及び気泡を封入した気泡管から成る気泡管測定部１を複数、夫々異なる傾斜角度に傾斜配設させる棒状の気泡管取付ベース３に収容し、この気泡管取付ベース３の複数個を束ねて多角柱状に束ね並設することで、多数の気泡管を備えながら小型にして取り扱いを容易にしたものであり、具体的には、６個の気泡管測定部１を２種類ずつ異なる傾斜角度で傾斜配設する３種類、即ち３本の泡管取付ベース３に収容し、この気泡管測定部１を３本束ね三角柱状に束ね並設して、この束ね並設した三本の気泡管取付ベース３をケース５に収容することで、６種類の異なる傾斜角度の視認測定を可能とした構成である。
【００３０】
詳細には、この水準器20は、気泡管測定部１を２個ずつ異なる傾斜角度に傾斜配設させる３種類（３個）の棒状の気泡管取付ベース３に配設し、この気泡管取付ベース３の夫々に、予め定めた配列となる気泡管取付ベース３を予め定めた方向に配向させて隣接させ、一個の気泡管取付ベース３の両隣に二個の気泡管取付ベース３を隣接させることで、３個の気泡管取付ベース３を三角柱状に束ね並設し、この予め定めた配列及び配向で束ね並設した気泡管取付ベース３を、この気泡管取付ベース３に設けた気泡管測定部１を夫々視認する視認窓部４を設けたケース５に挿入し、このケース５の両端を蓋21で封止することで気泡管測定部１を夫々異なった傾斜角度に傾斜固定するように構成している。
【００３１】
ケース５は、ケース５の形状が予め定めた配列及び配向で気泡管取付ベース３を束ね並設した束ね形状と略合致する三角柱状であると共に、ケース５内側が三角柱の束ね形状の外形と略一致し、ケース５外面の三側面の角部辺縁夫々を互いに平行に設けて隣接する角部辺縁同士で基準平面を形成する構成である。従って、予め定めた配列及び配向で束ね並設した気泡管取付ベース３をケース５に収容した状態で、ケース５の三側面夫々と、このケース５に収容された３個の気泡管取付ベース３夫々の長手方向とが平行になる中空の筒状の構成であり、このケース５に予め定めた配列及び配向で気泡管取付ベース３を束ね並設して挿入し、このケース５の両端部に蓋21を被嵌することで、束ね並設した複数の気泡管取付ベース３を固定する構成である。
【００３２】
また、このケース５の側面の角部辺縁に、気泡管取付ベース３に設けた気泡管測定部１夫々を視認する視認窓部４を設けた構成としている。
【００３３】
気泡管取付ベース３は、この気泡管取付ベース３の側面に気泡管取付ベース３自体を挟み込むように、互いに隣接する気泡管取付ベース３と当接する当接部６を二個所隣接して設け、夫々の当接部６を気泡管取付ベース３の長手方向に帯状に設けることで気泡管取付ベース３を安定した状態で束ね並設できる構成である。
【００３４】
更に、この当接部６の中央部分に係合凹部14若しくは係合凸部15を設けて隣接する気泡管取付ベース３同士が互いに凹凸係合する凹凸係合部７を設けた構成である。
【００３５】
具体的には、この凹凸係合部７は、予め定めた配列及び配向で気泡管取付ベース３を束ね並設した際に隣接する気泡管取付ベース３同士が互いに当接する一方の気泡管取付ベース３の当接部６に係合凹部14を二個所に設け、他方の気泡管取付ベース３の当接部６に一方の気泡管取付ベース３の当接部６と凹凸係合する係合凸部15を同じく二個所に設けると共に、係合凸部及び係合凹部を、予め定めた配列及び配向に束ね並設した際に隣接する前記気泡管取付ベース３の組み合せ毎に異なる位置若しくは間隔に設定することで、３個の前記気泡管取付ベース３を予め定めた配列及び配向となったときに束ね並設できる構成である。
【００３６】
従って、予め定めた配列及び配向で隣接する気泡管取付ベース３と凹凸係合すると、束ね並設した３個の気泡管取付ベース３をケース５に収容でき、予め定めた配列及び配向で配設されない気泡管取付ベース３とは凹凸係合せず、若しくは凹凸係合しても例えば、３個の気泡管取付ベース３の端部が揃わないことなどでケース５に収容できないことになり、組み立て異常が直ちに判別できるようになる。
【００３７】
また、気泡管取付ベース３の当接部６に設けた係合凹部14及び係合凸部15の夫々を、気泡管取付ベース３の長手方向と直交する向きに細溝、細板状の形状に設けて、気泡管取付ベース３の長手方向と直交する向きに複数の気泡管取付ベース３を束ね並設する際には係合し、気泡管取付ベース３の長手方向に対しては係止し得るように構成している。
【００３８】
更に詳細には、気泡管取付ベース３を長手方向に二分割し互いに凹凸嵌合し得る一対の分割半体９ａ・９ｂで構成し、この一対の分割半体９ａ・９ｂの夫々に互いに当接し合う当接面を備えた嵌合部22を設け、この嵌合部22に互いに嵌合し合う嵌合凹部12及び嵌合凸部13を一対として４個所に設けると共に、この４対の嵌合凹部12及び嵌合凸部13を一対となる分割半体９ａ・９ｂ毎に異なる配置位置若しくは形状に設けて、一対となる分割半体９ａ・９ｂの夫々と他の分割半体９ａ・９ｂとは凹凸嵌合し得ないように構成している。
【００３９】
従って、一対とならない分割半体９ａ・９ｂ同士を組み合わせると、凹凸嵌合できないか、若しくは凹凸嵌合しても位置ずれを生じ、分割半体９ａ・９ｂが正しい組み合わせでないことが直ちに判別できることになり、製造の後工程になってから異常に気づくような事態を避けることができることになる。
【００４０】
また、一対の分割半体９ａ・９ｂの夫々に気泡管測定部１を気泡管取付ベース３の長手方向に対して異なる所定傾斜角度に傾斜させて収容する気泡管収容部10を２個所に設け、一対の分割半体９ａ・９ｂとなる一方の分割半体９ａ・９ｂに設けた気泡管収容部10の夫々に気泡管測定部１を収容し、他方の分割半体９ａ・９ｂを、一方の分割半体９ａ・９ｂに被嵌して、双方の嵌合凹部12と嵌合凸部13とを嵌合させることで気泡管取付ベース３を形成し、この気泡管取付ベース３の長手方向に対して所定の傾斜角度で傾斜した状態で気泡管測定部１を固定できるように構成している。
【００４１】
また、この一対の分割半体９ａ・９ｂの夫々に気泡管収容部10に切欠部24を設けて、一対の分割半体９ａ・９ｂを嵌合して気泡管取付ベース３を形成すると、気泡管収容部10に設けた気泡管測定部１を視認し得る窓孔11を形成し、予め定めた配列及び配向で気泡管取付ベース３を束ね並設してケース５に収容すると、気泡管取付ベース３に設けた窓孔11とケース５に設けた視認窓孔４とが連通して、気泡管測定部１を視認可能となるように構成している。
【００４２】
更に、分割半体９ａ・９ｂ夫々の長手方向の外面辺縁に、分割半体９ａ・９ｂ夫々の長手方向に延設する当接部６を一個所ずつ設けて、この一対の分割半体９ａ・９ｂを当接して気泡管取付ベース３を形成した際、気泡管取付ベース３に設けた気泡管収容部10の底部側の外周面にこの気泡管収容部10を挟み込むように当接部６が二個所隣接して形成されるように構成している。
【００４３】
また更に、この当接部６に係合凹部14及び係合凸部15とで形成した凹凸係合部７を設けて、一対となる分割半体９ａ・９ｂ同士を互いに嵌合して気泡管取付ベース３を形成し、この当接部６に予め定めた配列及び配向で隣接する気泡管取付ベース３の当接部６を互いに当接し、凹凸係合することで予め定めた配列及び配向で複数の気泡管取付ベース３を束ね並設し得るように構成している。
【００４４】
更に、分割半体９ａ・９ｂの側端面に、一対の分割半体９ａ・９ｂを嵌合した際に対となる割符23を設け、この割符23を気泡管取付ベース３毎に異なる形状とした構成である。従って、分割半体９ａ・９ｂを組み合わせる際に、分割半体９ａ・９ｂの側端面に設けた割符23を視認することで速やかに組み立て作業を行うことが可能となると共に、異なった組み合わせの分割半体９ａ・９ｂを速やかに判別して除去し、再度組み立て直すことが可能になる。
【００４５】
尚、一対の分割半体９ａ・９ｂのいずれかに気泡管測定部１を収容する気泡管収容部10の底部に蓄光材を付設して、気泡管測定部１の視認性の向上を図るように構成した。
【００４６】
以上のように構成した実施例１は、割符23の合致する分割半体９ａ・９ｂを一対として、この一対のいずれか一方の分割半体９ａ・９ｂに気泡管測定部１を収容し、他方の分割半体９ａ・９ｂを嵌合することで、容易に気泡管測定部１を気泡管取付ベース３に収容することができることになり、３種類の気泡管取付ベース３の当接部６同士を予め定めた配列及び配向で当接し、この当接部６に設けた凹凸係合７同士を係合すると、容易に３種類の気泡管取付ベース３を三角柱状に束ね並設できることになり、このように束ね並設した気泡管取付ベース３をケース５に挿入して、このケース５の両端を蓋21で被嵌し固定すると、６の気泡管測定部１を備えながら端尺で小型で扱い易い水準器20になる。
【００４７】
従って、実施例１では、６個の気泡管測定部１を３対の分割半体９ａ・９ｂに収容して３種の気泡管取付ベース３を組み立て、次いでこの３種類の気泡管取付ベース３を予め定めた配列及び配向に組み立てる作業が容易に行えることになる。
【００４８】
詳細には、分割半体９ａ・９ｂに割符23を設け、一対となる分割半体９ａ・９ｂ毎に異なる位置に嵌合凹部12及び嵌合凸部13を設けたことで、分割半体９ａ・９ｂを組み合わせて気泡管取付ベース３を組み立てる際の組み合わせの正否が直ちに判別できることになる。更に、予め定めた配列及び配向で隣接する分割半体９ａ・９ｂを一対とする分割半体９ａ・９ｂ夫々の外面辺縁にこの一対毎に異なる位置に互いに係合し合う係合凹部14及び係合凸部15を設けたことで、束ね並設する際の気泡管取付ベース３の配列及び配向の正否を直ちに判別できることになる。また更に、ケース５の内側の形状を束ね並設した気泡管取付ベース３の形状と合致する形状としたことで、最終の組み合わせの正否を直ちに判別できることになり、即ち、水準器20の組み立て工程の各工程毎において例えば特別な検査工程を設けなくとも、組み立て作業中に作業の正否をおのずと行えることになる。
【００４９】
以上、実施例１は、水準器を組み立てる際の各組み立て段階での良否判定を容易に行え、しかも、組み立て誤り時には修正も容易に行えることになるため、歩留まりが高まって効率的に製造できることになって、多数の気泡管を備えながら小型にして扱い易い易く視認性のよい実用性、作業性に秀れる安価な水準器になる。
【００５０】
また、一個の気泡管取付ベース３に収容する気泡管測定部１の個数及び束ね並設する気泡管取付ベース３の個数は他の個数でもよく、例えば、一個の気泡管取付ベース３に収容する気泡管測定部１を３個，４個などと増やしたり、気泡管取付ベース３を４個，５個，６個などと増やしても形状が著しく大きくならずに、種々の傾斜角度の傾斜を視認確認が可能な小型で扱い易い水準器15とすることができる。
【実施例２】
【００５１】
本発明の具体的な実施例２について図１１〜図１３に基づいて説明する。
【００５２】
実施例２も、実施例１と同様に例えば配管工事などで管路など、被測定物２の勾配や傾斜の角度を視認確認に用いる水準器15であるが、この実施例２の水準器15は、実施例１の液体及び気泡を封入した気泡管から成る気泡管測定部１を複数、異なる傾斜角度に傾斜配設させた気泡管取付ベース３に収容したうえで、係合固定体８を中心として、この係合固定体８に気泡管取付ベース３を複数束ね並設したものである。
【００５３】
実施例２の水準器20は、気泡管取付ベース３を予め定めた配列及び配向で固定する三角柱状の係合固定体８を中心として設け、この係合固定体８を中心として三個の気泡管取付ベース３を予め定めた配列及び配向で束ね並設し、この予め定めた配列及び配向で束ね並設した気泡管取付ベース３を、気泡管取付ベース３に設けた気泡管測定部１を夫々視認し得る視認窓部４を設けたケース５に挿入固定するように構成している。
【００５４】
また、係合固定体８と、この係合固定体８の周囲に配設される夫々の気泡管取付ベース３とに、係合固定体８と気泡管取付ベース３とが互いに当接する当接部６を設け、この当接部６夫々に係合凹部14若しくは係合凸部15を設けて、係合固定体８と気泡管取付ベース３とを互いに凹凸係合する凹凸係合部７を形成し、この凹凸係合部７を、予め定めた配列若しくは配向では係止固定部８と夫々の気泡管取付ベース３とを凹凸係合して束ね並設してケース５に収容でき、予め定めた配列及び配向で配設されなければ係止固定部８と気泡管取付ベース３とを凹凸係合できず、若しくは凹凸係合しても前記ケース５に収容できないように構成している。
【００５５】
また、棒状の気泡管取付ベース３の側面に気泡管取付ベース３の長手方向に延設する当接部６を設けて、この気泡管取付ベース３の当接部６を係合固定体８の当接部６に予め定めた配列及び配向で当接させ、更に、係合固定体８及び気泡管取付ベース３の凹凸係合部７を互いに凹凸係合することで、予め定めた配列及び配向で複数の気泡管取付ベース３を束ね並設し得るように構成している。
【００５６】
更に、この当接部６の夫々に設けた凹凸係合部７を、予め定めた配列及び配向で気泡管取付ベース３を束ね並設した際に隣接する気泡管取付ベース３同士が互いに当接する一方の気泡管取付ベース３の当接部６に係合凹部14を二個所設け、他方の気泡管取付ベース３の当接部６に一方の当接部６と凹凸係合する係合凸部15を同数設けている。
【００５７】
また更に、凹凸係合部７に設けた係合凸部及び係合凹部を、予め定めた配列及び配向に束ね並設し隣接する気泡管取付ベース３の組み合せ毎に異なる位置若しくは間隔に設定して、複数の気泡管取付ベース３を予め定めた配列及び配向で束ね並設し得るように構成している。
【００５８】
この実施例２は、実施例１の特徴に加えて、係止固定部８に複数の気泡管取付ベース３とを凹凸係合させることで、複数の気泡管取付ベース３を束ね並設してケース５に収容することになり、気泡管取付ベース３の本数が多くなる場合には、束ね並設する際の作業が容易に行うことが可能となる。
【００５９】
尚、本発明は、実施例１，実施例２に限られるものではなく、各構成要件の具体的構成は適宜設計し得るものである。
【符号の説明】
【００６０】
１  気泡管測定部
２  被測定物
３  気泡管取付ベース
４  視認窓部
５  ケース
６  当接部
７  凹凸係合部
８  係合固定体
９ａ  分割半体
９ｂ  分割半体
10  気泡管収容部
11  窓孔
12  嵌合凹部
13  嵌合凸部
14  係合凹部
15  係合凸部
【図１】
2011112624.tif 000003
【図２】
2011112624.tif 000004
【図３】
2011112624.tif 000005
【図４】
2011112624.tif 000006
【図５】
2011112624.tif 000007
【図６】
2011112624.tif 000008
【図７】
2011112624.tif 000009
【図８】
2011112624.tif 000010
【図９】
2011112624.tif 000011
【図１０】
2011112624.tif 000012
【図１１】
2011112624.tif 000013
【図１２】
2011112624.tif 000014
【図１３】
2011112624.tif 000015